(57)【特許請求の範囲】
【請求項１】
合成樹脂フィルムを材料とするシートからなり内容物が収納された状態で密封される収納袋の適所に孔部を形成し、この孔部に内容物取り出し手段の基盤の取り出し口が合致した状態で前記基盤が収納袋の内面に取り付けられ、前記取り出し口を外側から開閉すべく取り出し口に圧入される栓を備え、この栓にはつまみ用リングを連設してなる収納袋であって、取り出し口を栓により閉じつまみ用リングを栓の周りに収めた状態において、栓およびつまみ用リングは収納袋の外面とほぼ面一状となるように構成されてあり、未使用状態において収納袋の孔部で囲まれる部分を完全に切り抜かずに孔部で囲まれる部分が周方向複数箇所の繋がり部で孔部の内周部に繋がれていることを特徴とする収納袋。
【請求項２】
合成樹脂フィルムを材料とするシートからなり内容物が収納された状態で密封される収納袋の適所に孔部を形成し、この孔部に内容物取り出し手段の基盤の取り出し口が合致した状態で前記基盤が収納袋の内面に取り付けられ、前記取り出し口を外側から開閉すべく取り出し口に圧入される栓を備え、この栓にはつまみ用リングを連設してなる収納袋であって、収納袋の内部において内容物取り出し手段の基盤に取り出し口の中心と同心状に環状の溝部が形成され、この溝部に収納袋の内面に対向する軽量カップの板部の切り欠き部を係合させて軽量カップを取り付けてなることを特徴とする収納袋。
【発明の詳細な説明】
【０００１】
【発明の属する技術分野】
本発明は、液状もしくは粉末状の内容物、例えば洗剤、飲料水、調味料などを収納する収納袋に関するものである。
【０００２】
【従来の技術】
従来、合成樹脂フィルムを材料とするシートからなり、例えば洗剤、飲料水、調味料などの液状もしくは粉末状の内容物を収納する収納袋は種々知られている。
【０００３】
そして、この収納袋から内容物を取り出すときは例えば収納袋の上端角部を鋏などでカットして取り出し口を形成し、この取り出し口より内容物を必要量取り出しているのが一般的である。
【０００４】
しかしながら、収納袋から内容物を取り出した後、収納袋の中に内容物が残っている場合は取り出し口を輪ゴムなどで絞って閉じなければならず、面倒であるという問題があった。
【０００５】
【発明が解決しようとする課題】
本発明はこのような課題を解決するもので、収納袋からの内容物の取り出しのために例えば収納袋の上端角部を鋏などでカットする必要をなくし、内容物の取り出しを簡単に行なえ、且つ取り出し口を簡単に閉じることができるようにした収納袋を提供することを目的とするものである。
【０００６】
【課題を解決するための手段】
この課題を解決するために本発明は、合成樹脂フィルムを材料とするシートからなり内容物が収納された状態で密封される収納袋の適所に孔部を形成し、この孔部に内容物取り出し手段の基盤の取り出し口が合致した状態で前記基盤が収納袋の内面に取り付けられ、前記取り出し口を外側から開閉すべく取り出し口に圧入される栓を備え、この栓にはつまみ用リングを連設してなる収納袋であって、取り出し口を栓により閉じつまみ用リングを栓の周りに収めた状態において、栓およびつまみ用リングは収納袋の外面とほぼ面一状となるように構成されてあり、未使用状態において収納袋の孔部で囲まれる部分を完全に切り抜かずに孔部で囲まれる部分が周方向複数箇所の繋がり部で孔部の内周部に繋がれていることを要旨とするものである。また本発明は、合成樹脂フィルムを材料とするシートからなり内容物が収納された状態で密封される収納袋の適所に孔部を形成し、この孔部に内容物取り出し手段の基盤の取り出し口が合致した状態で前記基盤が収納袋の内面に取り付けられ、前記取り出し口を外側から開閉すべく取り出し口に圧入される栓を備え、この栓にはつまみ用リングを連設してなる収納袋であって、収納袋の内部において内容物取り出し手段の基盤に取り出し口の中心と同心状に環状の溝部が形成され、この溝部に収納袋の内面に対向する軽量カップの板部の切り欠き部を係合させて軽量カップを取り付けてなることを要旨とするものである。
【０００７】
この構成により、収納袋からの内容物の取り出しのために例えば収納袋の上端角部を鋏などでカットする必要がなく、栓を開くだけで内容物の取り出しを簡単に行なえ、且つ取り出し口を簡単に閉じることができるようにした収納袋を提供することができる。また、孔部で囲まれる部分を完全に切り抜かずに孔部で囲まれる部分を周方向複数箇所の繋がり部で孔部の内周部に繋いでおき、内容物を始めて取り出すときに孔部で囲まれる部分を切り取るようにすることによって、未使用であるかどうかを確認することができる。さらに、収納袋の内部で内容物取り出し手段に計量カップを組み合わせることにより、ほぼ定量づつ内容物を取り出すこともできる。
【０００８】
【発明の実施の形態】
以下、本発明の実施の形態について、図面に基づいて説明する。
先ず、図１〜図５に示す第１の実施の形態について説明すると、１は合成樹脂フィルムを材料とするシートからなり内容物が収納された状態で密封される収納袋であり、この収納袋１の上端の一方のコーナー近傍には前記収納袋１と同様に合成樹脂材料からなる内容物取り出し手段２が取り付けられている。この内容物取り出し手段２は中央に円形の取り出し口３が形成された外形が円形の基盤４と、この基盤４の取り出し口３を外側から開閉すべく取り出し口３に圧入される栓５とを備えている。なお、前記栓５は外面側の外周に張り出し部６を有し、この張り出し部６の１箇所に繋がり部７を介してつまみ用リング８が一体に繋がっている。
【０００９】
図５に上記構成の内容物取り出し手段２の取り出し口３が収納袋１の上端の一方のコーナー近傍に形成された円形の孔部１ａに合致した状態で基盤４が収納袋１の内面に溶着により取り付けられた状態を示し、収納袋１から内容物を取り出すときは、前記つまみ用リング８を摘んで栓５を取り出し口３から外せば取り出し口３が開いた状態となり、収納袋１を上端が下に向くように傾けることにより取り出し口３から内容物を取り出すことができる。内容物取り出し後は、図５に示すように栓５を取り出し口３に圧入した状態で取り出し口３を閉じておけば良い。
【００１０】
次に、図６〜図８に示す第２の実施の形態について説明すると、前記第１の実施の形態では前記取り出し口３から外された栓５は内容物取り出し手段２から切り離されるため、紛失しないように注意する必要があるので、その問題を改善するために第２の実施の形態では栓５とつまみ用リング８を繋ぐ繋がり部７に対向する張り出し部６の他の個所に別の繋がり部９を一体に設け、この繋がり部９の先端に設けたほぼ球状の連結部１０を基盤４の上面に形成された球面状の凹部４ａに圧入させて栓５を基盤４に繋いでいる。さらに、この第２の実施の形態では栓５により取り出し口３を閉じた状態においてつまみ用リング８は栓５の張り出し部６の外周に嵌合し得るようになっている。従って、この第２の実施の形態において栓５を取り出し口３から外す場合は、栓５に対するつまみ用リング８の嵌合を外した状態でつまみ用リング８を摘んで栓５を取り出し口３から外せば良い。
【００１１】
次に、図９〜図１２に示す第３の実施の形態について説明すると、１１は合成樹脂フィルムを材料とするシートからなり内容物が収納された状態で密封される収納袋であり、この収納袋１１の上端の一方のコーナー近傍には前記収納袋１１と同様に合成樹脂材料からなる内容物取り出し手段１２が取り付けられている。この内容物取り出し手段１２は中央に円形の取り出し口１３が形成された外形が円形の基盤１４と、この基盤１４の取り出し口１３を外側から開閉すべく取り出し口１３に圧入される栓１５とを備えている。なお、前記栓１５は外面側の外周に張り出し部１６を有し、この張り出し部１６の１箇所が繋がり部１７を介して基盤１４に一体に繋がっている。また、前記繋がり部１７との連設部に対向する張り出し部１６の他の個所には繋がり部１８を介してつまみ用リング１９が一体に繋がっている。内容物取り出し手段１２の取り出し口１３の周囲外側には段部２０が形成されており、前記栓１５を取り出し口１３に圧入した状態でつまみ用リング１９は張り出し部１６の外周面と段部２０の内周面との間に収まり、つまみ用リング１９の１箇所は膨らんで前記繋がり部１７を包むように構成されている。
【００１２】
図１２に上記構成の内容物取り出し手段１２の取り出し口１３が収納袋１１の上端の一方のコーナー近傍に形成された円形の孔部１１ａに合致した状態で基盤１４が収納袋１１の内面に溶着により取り付けられた状態を示し、同図にも示されるように栓１５を取り出し口１３に圧入した状態でつまみ用リング１９を張り出し部１６の外周面と段部２０の内周面との間に収めた状態において、栓１５およびつまみ用リング１９は収納袋１１の外面から突出しないように構成されている。
【００１３】
以上述べた内容物取り出し手段１２を設けた収納袋１１から内容物を取り出すときは、前記つまみ用リング１９を指の爪で前記張り出し部１６の外周面と段部２０の内周面との間から引き出し、つまみ用リング１９を摘んで栓１５を取り出し口１３から外せば取り出し口１３が開いて内容物を取り出すことができる。内容物取り出し後は、図１２に示すように栓１５を取り出し口１３に圧入した状態でつまみ用リング１９を張り出し部１６の外周面と段部２０の内周面との間に収めておけば良い。
【００１４】
ところで、この第３の実施の形態では収納袋１１の円形の孔部１１ａで囲まれる部分は始めから切り抜かれた状態となっているが、図１３に示す第４の実施の形態のように円形の孔部１１ａで囲まれる部分２１を完全に切り抜かずに孔部１１ａで囲まれる部分２１を周方向複数箇所の繋がり部２２で孔部１１ａの内周部に繋いでおき、内容物を始めて取り出すときに孔部１１ａで囲まれる部分２１を切り取るようにすることによって、未使用であるかどうかを確認することができる。
【００１５】
以上述べた各実施の形態において、収納袋に入れられる内容物としては、液状もしくは粉末状の内容物、例えば洗剤、飲料水、調味料などが挙げられる。
さらに、図１４〜図１７に示す第５の実施の形態について説明すると、この実施の形態は内容物取り出し手段に計量カップを組み合わせるようにした場合であって、この第５の実施の形態では前記第１の実施の形態の内容物取り出し手段に計量カップを組み合わせる場合について説明する。
【００１６】
即ち、この第５の実施の形態における内容物取り出し手段２の基盤４には収納袋１の内面に溶着により取り付けられる面とは反対側の面に取り出し口３の中心と同芯状に環状の溝部２３が形成されており、収納袋１の内部において前記環状の溝部２３に係合して上端開口の計量カップ２４が取り付けられるようになっている。前記計量カップ２４は収納袋１の内面に対向する下端窄まり状の板部２５と、この板部２５に対向する下端窄まり状の板部２６と、この両板部２５，２６の側部間を繋ぐ両側の板部２７と、底板部２８とを備え，合成樹脂により作られている。そして，前記収納袋１の内面に対向する板部２５には前記溝部２３の最小径部と同幅の切り欠き部２５ａが上端から下端近傍に亘って形成されており、切り欠き部２５ａの下端は溝部２３の最小径部の周囲に沿うように円弧状となっている。このような構成の計量カップ２４は前記板部２５の切り欠き部２５ａを前記内容物取り出し手段２の基盤４の溝部２３に係合させるために切り欠き部２５ａの上端から溝部２３に上方にスライドさせながら係合させ、切り欠き部２５ａの下端が溝部２３に当接した状態で板部２５が溝部２３に圧入して収納袋１に対する取り付けが完了する。
【００１７】
上記構成において、収納袋１から内容物を取り出すときは、取り出し口３を栓５により閉じた状態で収納袋１を傾けて内容物を計量カップ２４の中に溜めた状態としておき、計量カップ２４の中に内容物が必要量溜まったことを確認して栓５を開いて取り出し口３から内容物を取り出すことができる。
【００１８】
なお、この第５の実施の形態では前記第１の実施の形態の内容物取り出し手段に計量カップを組み合わせた場合を説明したが、前記第２の実施の形態や第３の実施の形態の内容物取り出し手段に計量カップを組み合わせるようにしても良い。
【００１９】
【発明の効果】
以上のように本発明によれば、収納袋からの内容物の取り出しのために例えば収納袋の上端角部を鋏などでカットする必要がなく、栓を開くだけで内容物の取り出しを簡単に行なえ、且つ取り出し口を簡単に閉じることができるようにした収納袋を提供することができる。また、孔部で囲まれる部分を完全に切り抜かずに孔部で囲まれる部分を周方向複数箇所の繋がり部で孔部の内周部に繋いでおき、内容物を始めて取り出すときに孔部で囲まれる部分を切り取るようにすることによって、未使用であるかどうかを確認することができる。さらに、収納袋の内部で内容物取り出し手段に計量カップを組み合わせることにより、ほぼ定量づつ内容物を取り出すこともできる。
【図面の簡単な説明】
【図１】本発明の第１の実施の形態における内容物取り出し手段の取り付け前の状態を示す収納袋の斜視図である。
【図２】同内容物取り出し手段の斜視図である。
【図３】同内容物取り出し手段が取り付けられた収納袋の斜視図である。
【図４】同内容物取り出し手段の栓を外して取り出し口を開いた状態を示す斜視図である。
【図５】同内容物取り出し手段の取り付け部の断面図である。
【図６】本発明の第２の実施の形態における内容物取り出し手段が取り付けられた収納袋の斜視図である。
【図７】同内容物取り出し手段の取り出し口を開いた状態を示す斜視図である。
【図８】同内容物取り出し手段の取り付け部の断面図である。
【図９】本発明の第３の実施の形態における内容物取り出し手段の斜視図である。
【図１０】同内容物取り出し手段が取り付けられた収納袋の斜視図である。
【図１１】同内容物取り出し手段の取り出し口を開いた状態を示す斜視図である。
【図１２】同内容物取り出し手段の取り付け部の断面図である。
【図１３】本発明の第４の実施の形態において内容物取り出し手段が取り付けられた収納袋の斜視図である。
【図１４】本発明の第５の実施の形態における内容物取り出し手段と計量カップとの関係を収納袋の内部から見た分解斜視図である。
【図１５】同内容物取り出し手段に計量カップが取り付けられた状態を収納袋の内部から見た斜視図である。
【図１６】同計量カップ取り付け部を収納袋の内部から見た正面図である。
【図１７】同計量カップ取り付け部の断面図である。
【符号の説明】
１                収納袋
１ａ              孔部
２                内容物取り出し手段
３                取り出し口
４                基盤
４ａ              凹部
５                栓
６                張り出し部
７                繋がり部
８                つまみ用リング
９                繋がり部
１０                連結部
１１                収納袋
１１ａ              孔部
１２                内容物取り出し手段
１３                取り出し口
１４                基盤
１５                栓
１６                張り出し部
１７，１８          繋がり部
１９                つまみ用リング
２０                段部
２１                円形の孔部で囲まれる部分
２２                繋がり部
２３                溝部
２４                計量カップ
２５，２６，２７    板部
２５ａ              切り欠き部
２８                底板部
【図１】
0003625795.tif 000002
【図２】
0003625795.tif 000003
【図３】
0003625795.tif 000004
【図４】
0003625795.tif 000005
【図５】
0003625795.tif 000006
【図６】
0003625795.tif 000007
【図７】
0003625795.tif 000008
【図８】
0003625795.tif 000009
【図９】
0003625795.tif 000010
【図１０】
0003625795.tif 000011
【図１１】
0003625795.tif 000012
【図１２】
0003625795.tif 000013
【図１３】
0003625795.tif 000014
【図１４】
0003625795.tif 000015
【図１５】
0003625795.tif 000016
【図１６】
0003625795.tif 000017
【図１７】
0003625795.tif 000018